(57)【要約】【課題】簡単な構成で複数の情報を識別して送受信する情報処理装置を提供する。【解決手段】外部機器の入力操作による所定の検出器からの情報取得の設定入力にて、情報収集手段からリクエスト信号Ｒを複数の情報選別手段へ出力する。各情報選別手段は、それぞれあらかじ設定した遅延時間Ｄｊの経過後に、ケーブルを介してそれぞれ接続する検出器からの信号をパルス状のデジタル信号ＳＰｊに変換し、情報収集手段に出力する。情報収集手段は、検出器に対応する複数のゲート手段に各デジタル信号をそれぞれ入力し、設定入力した検出器に対応するゲート手段に開成要求の信号を出力し、リクエスト信号Ｒから所定時間Ｔｊ経過した後に所定時間帯ｈｊ開成させ、対応するデジタル信号を通過させる。【選択図】  図４
2004178375.tif 000002
【特許請求の範囲】
【請求項１】
複数の情報をそれぞれ識別して送受信させる情報送受信装置であって、
基準信号を出力する基準信号出力手段と、
前記基準信号からの前記情報毎に異なる時間長の選別時間情報を前記送信される情報にそれぞれ関連付ける情報選別手段と、
前記基準信号から所定の時間長が経過したときにこの経過した時間に対応する時間長となる前記選別時間情報が関連付けられた情報を前記情報選別手段から取得して送信させる情報収集手段と、
を具備したことを特徴とした情報送受信装置。
【請求項２】
請求項１に記載の情報送受信装置において、
前記情報選別手段は、前記送信される情報にそれぞれ対応して複数設けられ、前記基準信号からの前記情報毎に異なる時間長の前記選別時間情報をそれぞれ関連付ける
ことを特徴とした情報送受信装置。
【請求項３】
請求項１または請求項２に記載の情報送受信装置において、前記情報収集手段は、前記情報選別手段から前記選別時間情報が関連付けられた情報がそれぞれ入力される入力端と、あらかじめ設定された異なる時間長が経過した時にこの経過した時間長に対応する前記基準信号からの時間長となる前記選別時間情報が関連付けられた情報のみを出力する出力端とを有したゲート手段を、前記送信される情報毎に複数備えた
ことを特徴とした情報送受信装置。
【請求項４】
請求項３に記載の情報送受信装置において、
所定の情報の送信を要求する旨の指令情報を取得可能で、この取得した指令情報に基づいて対象となる情報に対応する前記ゲート手段に開成信号を入力させる指令情報処理手段を具備し、
前記ゲート手段は、前記開成信号が入力されることにより、前記入力端に入力される情報のうち対応する前記基準信号からの時間長となる前記選別時間情報が関連付けられた情報を前記出力端から出力させる
ことを特徴とした情報送受信装置。
【請求項５】
請求項４に記載の情報送受信装置において、
前記指令情報処理手段は、前記指令情報を取得することにより、前記基準信号出力手段から基準信号を出力させる
ことを特徴とした情報送受信装置。
【請求項６】
請求項１ないし請求項５のいずれかに記載の情報送受信装置において、
前記情報選別手段は、前記送信される情報を前記基準信号からの所定の異なる時間長で遅延されたパルス状のデジタル信号に変換して前記選別時間情報が関連付けられた情報とし、
前記情報収集手段は、前記基準信号からの所定の時間長が経過したときに対応する所定のパルス状のデジタル信号を認識して前記対応する所定の時間長の選別時間情報が関連付けられた情報を取得する
ことを特徴とした情報送受信装置。
【請求項７】
請求項１ないし請求項６のいずれかに記載の情報送受信装置において、
前記選別時間情報は、前記基準信号からの所定の時間長と、この時間長が経過してからの所定の時間帯との情報を有し、
前記情報収集手段は、前記基準信号からの所定の時間長が経過した所定の時間帯でこれら経過した時間長および所定の時間帯に対応する前記選別時間情報が関連付けられた情報を送信させる
ことを特徴とした情報送受信装置。
【請求項８】
請求項１ないし請求項７のいずれかに記載の情報送受信装置において、
前記情報収集手段は、前記情報選別手段から取得する前記情報を所定の格納領域に送信可能に格納する情報取得手段を具備した
ことを特徴とした情報送受信装置。
【請求項９】
複数の情報をそれぞれ識別して送信させる情報送受信方法であって、
基準信号を出力し、
前記送信される情報に前記基準信号からの前記情報毎に異なる時間長の選別時間情報を関連付け、
前記基準信号から所定の時間長が経過したときにこの経過した時間に対応する時間長となる前記選別時間情報が関連付けられた情報のみを送信させる
ことを特徴とする情報送受信方法。
【請求項１０】
請求項９に記載の情報送受信方法において、
前記送信される情報をそれぞれ受信する受信端を複数用い、
前記各受信端に受信される各情報に、前記受信端毎にあらかじめ対応して設定した前記基準信号からの異なる時間長の選別時間情報をそれぞれ関連付ける
ことを特徴とする情報送受信方法。
【請求項１１】
請求項９または請求項１０に記載の情報送受信方法において、
前記選別時間情報が関連付けられた情報がそれぞれ入力される入力端と、入力端から入力される前記情報を出力する出力端を有した複数のゲート手段を複数用い、
前記ゲート手段をそれぞれ前記基準信号からの異なる時間長が経過した時点で対応する時間長の前記選別時間情報が関連付けられた情報のみを前記出力端から出力させる
ことを特徴とする情報送受信方法。
【請求項１２】
請求項１１に記載の情報送受信方法において、
所定の情報の送信を要求する旨の指令情報を取得することにより、前記所定の情報に対応する前記ゲート手段に開成信号を入力させ、
前記開成信号が入力されたゲート手段の入力端に入力される情報のうち、対応する前記基準信号からの時間長となる前記識別時間情報が関連付けられた情報を前記出力端から出力させる
ことを特徴とする情報送受信方法。
【請求項１３】
請求項１２に記載の情報送受信方法において、
前記指令情報を取得することにより、基準信号を出力させる
ことを特徴とする情報送受信方法。
【請求項１４】
請求項９ないし請求項１３のいずれかに記載の情報送受信方法において、
前記送信される情報を前記基準信号からの所定の異なる時間長で遅延されたパルス状のデジタル信号に変換することにより、前記選別時間情報が関連付けられた情報を生成する
ことを特徴とする情報送受信方法。
【請求項１５】
請求項９ないし請求項１４のいずれかに記載の情報送受信方法において、
前記選別時間情報を前記基準信号からの所定の時間長の情報とともに、この時間超過経過してからの所定の時間帯の情報とし、
前記基準信号からの所定の時間長が経過した所定の時間帯でこれら経過した時間長および所定の時間帯に対応する前記選別時間情報が関連付けられた情報を送信させる
ことを特徴とする情報送受信方法。
【請求項１６】
請求項９ないし請求項１５のいずれかに記載の情報送受信方法において、
前記基準信号から所定の時間長が経過したときにこの経過した時間に対応する時間長となる前記選別時間情報が関連付けられた情報を、所定の格納領域に送信可能に格納する
ことを特徴とする情報送受信方法。
【請求項１７】
情報を取得する複数の情報取得手段と、
これら情報取得手段に情報の送受信が可能に接続され、前記情報取得手段にて取得した情報をそれぞれ入力する請求項１ないし請求項８のいずれかに記載の情報送受信装置と、
を具備したことを特徴とした情報送受信システム。
【請求項１８】
請求項９ないし請求項１６のいずれかに記載の情報送受信方法を演算手段に実行させる
ことを特徴とした情報送受信プログラム。
【請求項１９】
請求項１８に記載の情報送受信プログラムが演算手段にて読取可能に記録された
ことを特徴とした情報送受信プログラムを記録した記録媒体。
【請求項２０】
請求項１７に記載の情報送受信システムと、
この送受信システムに情報の送受信が可能に接続され前記情報送受信システムから送信される情報を取得して処理する情報処理手段と、
を具備したことを特徴とした情報処理装置。
【発明の詳細な説明】
【０００１】
【発明の属する技術分野】
本発明は、複数の情報をそれぞれ識別して送受信させる情報送受信装置、その方法、そのシステム、そのプログラム、そのプログラムを記録した記録媒体、および、情報処理装置に関する。
【０００２】
【背景技術】
従来、複数の検出部で検出した測定結果を、情報処理手段で測定情報として適宜収集して演算し、測定結果の解析に適切なデータに処理する情報処理装置が知られている（例えば、特許文献１，２）。これら特許文献１，２に記載されているような従来の情報処理装置では、情報処理手段に設けられた記憶手段に、あらかじめ接続される検出部を識別するアドレス情報などの識別情報を格納している。そして、所定の測定情報を取得する場合には、その測定情報を検出する検出部に対応する識別情報を出力し、検出部が自己の識別情報か否かを判断し、自己の識別情報であることを認識することにより、検出した測定情報を情報処理手段へ出力することにより、情報処理手段で所定の測定情報を取得する構成が採られている。
【０００３】
【特許文献１】
特開平７−２１４８６号公報（第３頁左欄−第４頁右欄）
【特許文献２】
特開平７−２９０８３号公報（第２頁右欄−第５頁左欄）
【０００４】
【発明が解決しようとする課題】
しかしながら、上記特許文献１，２に記載のような従来の情報処理装置では、情報の取得側である情報処理手段に複数の識別情報を格納するための記憶手段や識別情報を出力する手段が必要となり、検出器には自己の識別情報を格納しておく記憶手段や識別情報を受信する手段、識別情報を判別する判別手段などが必要となる。特に、被測定物の各種特性を検出するための検出器では、より高精度で容易に測定結果が得られるために、小型化が望まれているが、情報を送受信するための記憶手段や判別手段などの構成により小型化が図れない。さらには、検出器毎に記憶手段や判別手段が必要となることから、検出器のコストの低減が図れない。
【０００５】
本発明は、このような点に鑑みて、簡単な構成で複数の情報を識別して送受信する情報送受信装置、その方法、そのシステム、そのプログラム、そのプログラムを記録した記録媒体、および、情報処理装置を提供することを目的とする。
【０００６】
【課題を解決するための手段】
請求項１に記載の発明は、複数の情報をそれぞれ識別して送受信させる情報送受信装置であって、基準信号を出力する基準信号出力手段と、前記基準信号からの前記情報毎に異なる時間長の選別時間情報を前記送信される情報にそれぞれ関連付ける情報選別手段と、前記基準信号から所定の時間長が経過したときにこの経過した時間に対応する時間長となる前記選別時間情報が関連付けられた情報を前記情報選別手段から取得して送信させる情報収集手段と、を具備したことを特徴とした情報送受信装置である。
【０００７】
この発明では、情報選別手段により送受信させる情報毎に基準信号からの異なる時間長の選別時間情報をそれぞれ関連付け、情報収集手段により基準信号から所定の時間長が経過したときにこの経過した時間に対応する時間長となる選別時間情報が関連付けられた情報を情報選別手段から取得して送信させる。このことにより、例えば選別時間情報としてパルス波形や周波数などを利用して情報に時間的特性を持たせることにより、情報を送受信させるために情報の送受信間におけるアドレス情報などの識別情報を用いることなく情報に識別性が付与されることとなり、識別情報を格納する記憶手段や識別情報を送受信する手段、識別情報を判別する手段などが不要となり、構成の簡略化が図れるとともに、情報の送受信の際に識別情報も合わせて送受信されて判別することによる処理負荷を削減でき、処理効率の向上が図れる。
【０００８】
請求項２に記載の発明は、請求項１に記載の情報送受信装置において、前記情報選別手段は、前記送信される情報にそれぞれ対応して複数設けられ、前記基準信号からの前記情報毎に異なる時間長の前記選別時間情報をそれぞれ関連付けることを特徴とする。
【０００９】
この発明では、送信される情報にそれぞれ対応して複数の情報選別手段を設け、これら複数の情報選別手段により基準信号からの情報毎に異なる時間長の選別時間情報をそれぞれ関連付ける。このことにより、各情報選別手段にあらかじめ情報毎に異なる時間長の選別時間情報を設定しておけばよく、簡単な構成で情報毎に異なる時間長の選別時間情報を関連付ける構成が容易に得られる。
【００１０】
請求項３に記載の発明は、請求項１または２に記載の情報送受信装置において、前記情報収集手段は、前記情報選別手段から前記選別時間情報が関連付けられた情報がそれぞれ入力される入力端と、あらかじめ設定された異なる時間長が経過した時にこの経過した時間長に対応する前記基準信号からの時間長となる前記選別時間情報が関連付けられた情報のみを出力する出力端とを有したゲート手段を、前記送信される情報毎に複数備えたことを特徴とする。
【００１１】
この発明では、送信される情報毎に複数のゲート手段を設け、各ゲート手段の入力端に情報選別手段で選別時間情報が関連付けられた情報をそれぞれ入力させ、あらかじめ設定された異なる時間長が経過した時に、この経過した時間長に対応する時間長の選別時間情報が関連付けられた情報のみを出力端から出力させる。このことにより、送信される情報にそれぞれ異なる基準信号からの時間長の選別時間情報を関連付けて、所定の情報のみを識別して送信させることが簡単な構成で容易に得られる。
【００１２】
請求項４に記載の情報送受信装置は、請求項３に記載の情報送受信装置において、所定の情報の送信を要求する旨の指令情報を取得可能で、この取得した指令情報に基づいて対象となる情報に対応する前記ゲート手段に開成信号を入力させる指令情報処理手段を具備し、前記ゲート手段は、前記開成信号が入力されることにより、前記入力端に入力される情報のうち対応する前記基準信号からの時間長となる前記選別時間情報が関連付けられた情報を前記出力端から出力させることを特徴とする。
【００１３】
この発明では、指令情報処理手段により、取得した所定の情報の送信を要求する旨の指令情報に基づいて対象となる情報に対応するゲート手段にのみ開成情報を入力させ、入力端に入力される情報のうちの対応する時間長の選別時間情報が関連付けられた情報のみを出力端から出力させる。このことにより、複数の情報を識別して送受信させる構成が簡単で容易に得られる。
【００１４】
請求項５に記載の発明は、請求項４に記載の情報送受信装置において、前記指令情報処理手段は、前記指令情報を取得することにより、前記基準信号出力手段から基準信号を出力させることを特徴とする。
【００１５】
この発明では、指令情報処理手段により指令情報を取得することにより、基準信号出力手段から基準信号を出力させる。このことにより、所定の情報の送信を要求する指令に基づいて複数の情報の識別性を付与するための時間の基準とするので、要求される所定の情報の確実な送受信が容易に得られる。
【００１６】
請求項６に記載の発明は、請求項１ないし５のいずれかに記載の情報送受信装置において、前記情報選別手段は、前記送信される情報を前記基準信号からの所定の異なる時間長で遅延されたパルス状のデジタル信号に変換して前記選別時間情報が関連付けられた情報とし、前記情報収集手段は、前記基準信号からの所定の時間長が経過したときに対応する所定のパルス状のデジタル信号を認識して前記対応する所定の時間長の選別時間情報が関連付けられた情報を取得することを特徴とする。
【００１７】
この発明では、情報選別手段により、送信される情報を基準信号からの所定の異なる時間長で遅延されたパルス状のデジタル信号に変換して選別時間情報が関連付けられた情報とし、情報収集手段により基準信号からの所定の時間長が経過したときに対応する所定のパルス状のデジタル信号を認識させることで、情報収集手段にて対応する所定の時間長の選別時間情報が関連付けられた情報を取得させる。このことにより、基準信号からの異なる時間長の選別時間情報を関連付けて情報に識別性を付与させる構成での所定の情報の取得が簡単な構成で容易に得られる。
【００１８】
請求項７に記載の発明は、請求項１ないし６のいずれかに記載の情報送受信装置において、前記選別時間情報は、前記基準信号からの所定の時間長と、この時間長が経過してからの所定の時間帯との情報を有し、前記情報収集手段は、前記基準信号からの所定の時間長が経過した所定の時間帯でこれら経過した時間長および所定の時間帯に対応する前記選別時間情報が関連付けられた情報を送信させることを特徴とする。
【００１９】
この発明では、選別時間情報として、基準信号からの所定の時間長の情報とともに、この時間長が経過してからの所定の時間帯の情報とし、情報収集手段により、基準信号からの所定の時間長が経過した所定の時間帯で、この経過した時間長および所定の時間帯に対応する選別時間情報が関連付けられた情報を送受信させる。このことにより、簡単な構成で、複数の情報でもそれぞれを識別して送受信させる構成が容易に得られる。
【００２０】
請求項８に記載の発明は、請求項１ないし７のいずれかに記載の情報送受信装置において、前記情報収集手段は、前記情報選別手段から取得する前記情報を所定の格納領域に送信可能に格納する情報取得手段を具備したことを特徴とする。
【００２１】
この発明では、情報収集手段に、情報選別手段から取得する情報を、所定の格納領域に送受信可能に格納させる。このことにより、送受信させる情報が識別されて所定の格納領域に格納されるので、簡単な構成で識別された状態で情報の送受信が容易に得られる。
【００２２】
請求項９に記載の発明は、請求項１に記載の情報送受信装置を情報送受信方法に展開したもので、複数の情報をそれぞれ識別して送信させる情報送受信方法であって、基準信号を出力し、前記送信される情報に前記基準信号からの前記情報毎に異なる時間長の選別時間情報を関連付け、前記基準信号から所定の時間長が経過したときにこの経過した時間に対応する時間長となる前記選別時間情報が関連付けられた情報のみを送信させることを特徴とする。このことにより、請求項１に記載の発明と同様の作用効果を享受する。
【００２３】
請求項１０ないし請求項１６に記載の発明は、請求項９に記載の情報送受信方法において、請求項２ないし請求項８に記載の情報送受信装置に対応する情報送受信方法で、請求項２ないし請求項８に記載の発明と同様の作用効果を享受する。
【００２４】
請求項１７に記載の発明は、情報を取得する複数の情報取得手段と、これら情報取得手段に情報の送受信が可能に接続され、前記情報取得手段にて取得した情報をそれぞれ入力する請求項１ないし８のいずれかに記載の情報送受信装置と、を具備したことを特徴とした情報送受信システムである。
【００２５】
この発明では、複数の情報取得手段にて取得する複数の情報を、構成の簡略化および処理効率の向上が図れる請求項１ないし請求項８のいずれかに記載の情報送受信装置にてそれぞれ識別して送受信させる。このことにより、例えば情報として、被測定物の位置、変位、間隔などの機械的特性や、温度、湿度などの物性、電圧値、電流値、周波数などの電気的特性、輝度などの光的特性、磁束密度や磁力などの磁気的特性などの測定情報を送受信させるなどの構成において特に有効である。
【００２６】
請求項１８に記載の発明は、請求項９ないし請求項１６のいずれかに記載の情報送受信方法を演算手段に実行させることを特徴とした情報送受信プログラムである。
【００２７】
この発明では、例えば汎用のコンピュータを演算手段として利用しインストールすることにより請求項９ないし請求項１６のいずれかに記載の情報送受信方法を演算手段に実行させることができ、本発明の利用促進を大幅に図ることができる。
【００２８】
請求項１９に記載の発明は、請求項１８に記載の情報送受信プログラムが演算手段にて読取可能に記録されたことを特徴とした情報送受信プログラムを記録した記録媒体である。
【００２９】
この発明では、請求項９ないし請求項１６のいずれかに記載の情報送受信方法を実行させるための請求項１８に記載の情報送受信プログラムを記録媒体に記録させるので、製造支援プログラムの取扱が容易で、本発明の利用促進を大幅に図ることができる。
【００３０】
請求項２０に記載の発明は、請求項１７に記載の情報送受信システムと、この送受信システムに情報の送受信が可能に接続され前記情報送受信システムから送信される情報を取得して処理する情報処理手段と、を具備したことを特徴とした情報処理装置である。
【００３１】
この発明では、請求項１７に記載の情報送受信システムにて送信される情報を情報処理手段にて処理する。このことにより、例えば測定情報などの複数の情報を適宜処理する際に別途識別情報を用いることなく複数の情報を識別して情報処理手段で認識させることが可能となり、良好な情報の処理が得られる。
【００３２】
なお、請求項１８および請求項１９に記載の発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含む。
【００３３】
【発明の実施の形態】
以下、本発明の情報処理装置における一実施の形態を図面に基づいて説明する。本実施の形態では、情報処理装置として、被測定物の位置、変位、間隔などの機械的特性、温度、湿度などの物性、電圧値、電流値、周波数などの電気的特性、輝度などの光的特性、磁束密度や磁力などの磁気的特性などを検出し、これら検出にて取得した測定に関する情報を処理する構成を例示して説明する。なお、情報処理装置としては、これら測定した情報の処理に限らず、情報を送受信して処理するいずれの構成でもできる。図１は、本実施の形態における情報送受信システムの全体構成を示す。
【００３４】
〔情報処理装置の構成〕
図１において、１００は情報処理装置で、この情報処理装置１００は、情報送受信システム２００と、情報処理手段３００とを備えている。また、情報送受信システム２００は、情報取得手段としての検出器２０１と、この検出器にそれぞれ接続されたケーブル２０２と、これらケーブルが接続される情報送受信装置としての演算手段である情報選別収集手段２１０と、を備えている。
【００３５】
そして、情報処理手段３００は、情報送受信システム２００の情報選別収集手段２１０に接続され、この情報選別収集手段２１０と適宜情報を送受信可能となっている。この情報処理手段３００は、例えばコンピュータに読み込まれたプログラムなど、情報処理装置１００全体の動作制御をするＯＳ（Ｏｐｅｒａｔｉｎｇ  Ｓｙｓｔｅｍ）上に展開され、情報選別収集手段２１０から取得する情報を演算処理するプログラムとして構成されている。
【００３６】
一方、情報送受信システム２００の検出器２０１は、ケーブル２０２にて接続された情報選別収集手段２１０を介して情報処理手段３００と情報を送受信する。例えば、検出器２０１は、被測定物の位置、変位、間隔などの機械的特性や、温度、湿度などの物性、電圧値、電流値、周波数などの電気的特性、輝度などの光的特性、磁束密度や磁力などの磁気的特性などの測定情報を取得する。具体的には、ダイヤルゲージやリニアゲージなど様々な測定に使用される種々の検出機器である。この測定情報の取得は、例えばケーブル２０２を介して情報選別収集手段２１０から供給される電力を利用する。そして、取得した情報をケーブル２０２を介して情報選別収集手段２１０へ出力する。なお、検出器２０１は、別途一次電池や蓄電池などの電力を供給する電力供給部を備え、独立して情報を取得する構成とすることもできる。
【００３７】
また、情報選別収集手段２１０は、ケーブル２０２がそれぞれ接続される図示しないコネクタを有している。情報選別収集手段２１０は、ケーブル２０２を介して各検出器２０１からそれぞれ出力される測定情報を適宜取得し、所定の検出器２０１からの測定情報として情報処理手段３００に出力する。
【００３８】
〔情報選別収集手段の内部構成〕
次に、上記情報処理装置における情報選別収集手段の内部構成について図面を参照して説明する。図２は、情報選別収集手段の情報選別手段の回路構成を示すブロック図である。図３は、情報選別収集手段の情報収集手段の回路構成を示すブロック図である。情報選別収集手段２１０は、図２に示す複数の情報選別手段４００と、図３に示す情報収集手段５００とを備えている。
【００３９】
（情報選別手段の内部構成）
情報選別手段４００は、複数の検出器２０１に対応して複数設けられている。これら情報選別手段４００は、図２に示すように、パルス取得手段４１０、検波器４２０、時間的遅延素子４３０、前置増幅器４４０、アナログ−デジタル（Ａ／Ｄ）変換器４５０、発信器４６０、ｍビットレジスタ４７０、増幅器４８０、送信器４９０を備えている。
【００４０】
パルス取得手段４１０は、対をなす受信１次コイル４１１および受信２次コイル４１２を有している。受信１次コイル４１１は、情報収集手段５００に接続され、情報収集手段５００から出力される１つのパルス波である基準信号としてのリクエスト信号Ｒが入力される。受信２次コイル４１２は、受信１次コイル４１１にリクエスト信号Ｒが入力されることにより、所定の電圧値の信号を生成して出力する。すなわち、パルス取得手段４１０は、情報収集手段５００からのリクエスト信号Ｒに対応して所定の電圧値の信号を出力する。パルス取得手段４１０には検波器４２０が接続され、変換した所定の電圧値の信号を検波器４２０へ出力する。
【００４１】
検波器４２０は、パルス取得手段４１０から出力される信号の電圧値を読み取り、所定の電圧値である場合には、パルス取得手段４１０にリクエスト信号Ｒが入力されたことを認識する。この検波器４２０には、時間的遅延素子４３０が接続されている。そして、検波器４２０は、リクエスト信号Ｒに対応した信号を時間的遅延素子４３０に出力する。
【００４２】
時間的遅延素子４３０は、検波器４２０から出力されるリクエスト信号Ｒに対応した電圧に基づいて、各情報選別手段４００毎に異なる所定の遅延時間Ｄｊ（ｊ：１，２，…，ｎ）が経過した後に所定の出力信号Ｓ１を生成する。この時間的遅延素子４３０にはＡ／Ｄ変換器４５０および発信器４６０が接続され、生成した出力信号Ｓ１をＡ／Ｄ変換器４５０および発信器４６０に出力する。
【００４３】
前置増幅器４４０は、ケーブル２０２を介して接続される検出器２０１からのアナログの測定情報が入力される。そして、前置増幅器４４０は、入力される測定情報を電気的に整形して変換信号を生成する。この前置増幅器４４０にはＡ／Ｄ変換器２５０が接続され、生成した変換信号をＡ／Ｄ変換器４５０に出力する。
【００４４】
Ａ／Ｄ変換器４５０は、時間的遅延素子４３０から出力される出力信号Ｓ１を取得し、この出力信号Ｓ１の遅延時間Ｄｊに同期して、前置増幅器４４０から出力される変換信号を、例えば並列コードのデジタル信号に変換する。このＡ／Ｄ変換器４５０にはｍ（ｍは自然数）ビットレジスタ４７０が接続され、変換したデジタル信号をｍビットレジスタ４７０に出力する。
【００４５】
発信器４６０は、時間的遅延素子４３０から出力される出力信号Ｓ１を取得し、ｍ個の掃き出しパルスＳ２を発生する。この発信器４６０にはｍビットレジスタ４７０が接続され、発生した掃き出しパルスＳ２はｍビットレジスタ４７０に出力される。
【００４６】
ｍビットレジスタ４７０は、Ａ／Ｄ変換器４５０から出力されるデジタル信号を取得し、発信器４６０から出力される掃き出しパルス信号Ｓ２に基づいて直列のコード化パルス列のデジタル信号Ｓ３に変換する。このｍビットレジスタ４７０には増幅器４８０が接続され、直列のコード化パルス列のデジタル信号Ｓ３を増幅器４８０に出力する。
【００４７】
増幅器４８０は、ｍビットレジスタ４７０から出力される直列のコード化パルス列のデジタル信号Ｓ３を増幅処理する。この増幅器４８０には送信器４９０が接続され、増幅処理した直列のコード化パルス列のデジタル信号Ｓ３を送信器４９０に出力する。
【００４８】
送信器４９０は、送信１次コイル４９１および送信２次コイル４９２を有している。送信１次コイル４９１は増幅器４８０に接続され、増幅器４８０から出力される増幅処理された直列のコード化パルス列のデジタル信号Ｓ３が入力される。送信２次コイル４９２は、情報収集手段５００に接続されている。そして、送信２次コイル４９２は、送信１次コイル４９１に入力されるデジタル信号に対応して情報収集手段５００にて読み取り可能な検出信号ＳＰｊ（ｊ：１，２，…，ｎ）に変換して情報収集手段５００に出力する。この検出信号ＳＰｊは、情報選別収集手段２１０の各情報選別手段４００毎に異なる遅延時間Ｄｊ、時間幅ｄｊ（ｊ：１，２，…，ｎ）の時間帯に検出情報として情報収集手段５００に送信される。
【００４９】
（情報収集手段の内部構成）
情報収集手段５００は、図３に示す情報選別収集手段２１０の各情報選別手段４００がそれぞれ接続される。そして、この情報収集手段５００は、図３に示すように、指令情報処理手段としてのデコーダ５１０、増幅器５２０、基準信号出力手段としてのパルス発生手段５３０、発信器５４０、シフトレジスタ５５０、受信器５６０、検波器５７０、ゲート手段Ｇｊ、メモリ５８０を備えている。
【００５０】
デコーダ５１０は、例えば情報処理装置１００に設けられた入力手段であるキーボードなどの外部機器６００が接続される。このデコーダ５１０は、外部機器６００から出力される指令信号Ｓｃを取得する。また、デコーダ５１０には、電界効果トランジスタやゲート回路などのゲート手段Ｇｊ（ｊ：１，２，…，ｎ）に接続されている。そして、デコーダ５１０は、例えば取得した指令信号Ｓｃが所定のｊ番目の検出器２０１からの測定情報を指定して選択する旨の信号であると判断した場合、所定の信号ｑｊ（ｊ：１，２，…，ｎ）を対応するｊ番目の所定のゲート手段Ｇｊに出力する。
【００５１】
また、デコーダ５１０は、外部からタイミング信号Ｓｔを取得する図示しないポートを有している。そして、デコーダ５１０は、タイミング信号Ｓｔの受信タイミングに基づいて、１つのパルス信号Ｓ１１を発生する。このデコーダ５１０には増幅器５２０および発信器５４０が接続され、発生したパルス信号Ｓ１１を増幅器５２０および発信器５４０に出力する。
【００５２】
増幅器５２０は、デコーダ５１０から出力されるパルス信号Ｓ１１を適宜増幅する。この増幅器５２０にはパルス発生手段５３０が接続され、増幅したパルス信号Ｓ１１をパルス発生手段５３０に出力する。
【００５３】
パルス発生手段５３０は、発信１次コイル５３１および発信２次コイル５３２を有している。発信１次コイル５３１には増幅器５２０が接続され、この増幅器５２０から出力される増幅されたパルス信号Ｓ１１が入力される。発信２次コイル５３２は、発信１次コイル５３１にパルス信号Ｓ１１が入力されることにより、１ヶのパルス波のリクエスト信号Ｒを生成する。この発信２次コイル５３２は、情報選別収集手段２１０の各情報選別手段４００に接続されている。すなわち、パルス発生手段５３０は、増幅器５２０を介してデコーダ５１０から出力されるパルス信号Ｓ１１により、各情報選別手段４００に生成したリクエスト信号Ｒを出力する。
【００５４】
発信器５４０は、デコーダ５１０から出力されるパルス信号Ｓ１１を受信すると、ｍ個の掃き出しパルスＳ１２を発生する。発信器５４０にはシフトレジスタ５５０が接続され、発生したｍ後の掃き出しパルスＳ１２をシフトレジスタ５５０に時間Ｔｊ（ｊ：１，２，…，ｎ）のタイミングで適宜出力する。
【００５５】
シフトレジスタ５５０は、複数のセルｕｊ（ｊ：１，２，…，ｎ）を有している。そして、シフトレジスタ５５０は、発信器５４０から時間Ｔｊのタイミングで出力される掃き出しパルスＳ１２に基づいて、各セルｕｊで時間的開閉を指定する旨の論理状態出力信号ｈｊ（ｊ：１，２，…，ｎ）をそれぞれ生成する。この時間Ｔｊは、情報選別手段４００の遅延時間Ｄｊに対応する。そして、シフトレジスタ５５０の各セルｕｊにはゲート手段Ｇｊがそれぞれ接続され、生成した論理状態出力信号ｈｊを各ゲート手段Ｇｊにそれぞれ出力する。
【００５６】
受信器５６０は、取得１次コイル５６１および取得２次コイル５６２を有している。取得１次コイル５６１には情報選別収集手段２１０の各情報選別手段４００がそれぞれ接続され、各情報選別手段４００から出力される検出信号ＳＰｊがそれぞれ入力される。取得２次コイル５６２には検波器５７０が接続され、取得１次コイル５６１に入力される検出信号ＳＰｊに対応して所定の信号を生成して検波器５７０に出力する。
【００５７】
検波器５７０は、受信器５６０から出力される信号を受信し、情報選別手段４００から検出信号ＳＰｊが入力されたことを認識して所定のデジタル信号Ｓ３を生成する。この検波器５７０には各ゲート手段Ｇｊがそれぞれ接続され、生成したデジタル信号Ｓ３を各ゲート手段Ｇｊにそれぞれ出力する。
【００５８】
ゲート手段Ｇｊは、デコーダ５１０から出力されるゲート手段Ｇｊを指定する信号ｑｊと、時間的開閉を指定すなわち開成させる時間を指定する信号ｈｊとを取得することにより、対応するゲート手段Ｇｊのみが開成し、検波器５７０から出力されるデジタル信号Ｓ３を通過させる。ゲート手段Ｇｊには記憶手段としての例えばメモリ５８０がそれぞれ接続され、メモリ５８０に設けられた所定のアドレス番号Ａｊ（ｊ：１，２，…，ｎ）に設けられた格納領域Ｒｊ（ｊ：１，２，…，ｎ）にデジタル信号Ｓ３が所定の検出器２０１からの測定情報に対応する検出情報として格納される。この格納されたデジタル信号Ｓ３は、適宜情報処理装置３００で取得されて処理される。
【００５９】
〔情報処理装置の動作〕
次に、情報処理装置における検出器を用いた測定の動作を図面を参照して説明する。図４は、各検出器からの情報をそれぞれ選別する動作を示すタイミングチャートである。
【００６０】
情報処理装置１００の外部機器６００の入力操作により、所定の検出器２０１からの情報を取得する旨の設定入力をする。この設定入力により、外部機器６００から所定の指令信号Ｓｃが出力され、情報収集手段５１０のデコーダ５１０が指令信号Ｓｃを取得する。さらに、デコーダ５１０は、例えば情報処理装置１００全体の制御に関与するタイミング信号Ｓｔを取得し、パルス信号Ｓ１１を生成する。そして、この生成したパルス信号Ｓ１１を増幅器５２０で適宜増幅させ、パルス発生手段５３０で１個のパルス状のリクエスト信号Ｒを生成させ、各情報選別手段４００へ出力する。
【００６１】
情報収集手段５００から出力されるリクエスト信号Ｒは、各情報選別手段４００のパルス取得手段４１０にて受信し、リクエスト信号Ｒを所定の電圧値の信号に変換し、検波器４２０で電圧値を読み取ってリクエスト信号Ｒを取得したことを認識する。そして、時間的遅延素子４３０は、検波器４２０でリクエスト信号Ｒを認識したと判断した際、図４に示すように、リクエスト信号Ｒの取得から情報選別手段４００毎に設定された所定の遅延時間Ｄｊが経過した後、所定の出力信号Ｓ１をＡ／Ｄ変換器４５０および発信器４６０に出力する。
【００６２】
そして、Ａ／Ｄ変換器４５０は、出力信号Ｓ１の取得により、ケーブル２０２を介して接続された検出器２０１から出力され前置増幅器４４０で電気的に整形された測定信号の変換信号を、出力信号Ｓ１の遅延時間Ｄｊに同期してデジタル信号に変換、すなわち、図４に示すように、リクエスト信号Ｒから遅延時間Ｄｊだけ遅延したパルス状のデジタル信号に変換する。また、出力信号Ｓ１を取得した発信器４６０は、外部機器６００で選択された検出器２０１に対応するｍ個の掃き出しパルスＳ２を生成する。
【００６３】
この後、情報選別手段４００のｍビットレジスタ４７０にて、Ａ／Ｄ変換器４５０から変換された測定信号のデジタル信号を、発信器４６０からの掃き出しパルス信号Ｓ２に基づいて直列のコード化パルス列のデジタル信号Ｓ３に変換する。すなわち、図４に示すように、検出信号ＳＰｊは、リクエスト信号Ｒから所定の遅延時間Ｄｊだけ遅延した時間帯ｄｊのパルス状のデジタル信号の特性を有したデジタル信号Ｓ３に変換される。この変換されたデジタル信号Ｓ３は、増幅器４８０で増幅され、送信器４９０を介して検出信号ＳＰｊとして情報収集手段５００に送信される。
【００６４】
したがって、各情報選別手段４００から出力される検出信号ＳＰｊは、図４に示すように、それぞれ異なる時間差で所定の時間帯ｄｊのパルス状のデジタル信号の特性で所定の検出器２０１に対応した識別性を有する検出信号ＳＰｊとして情報収集手段５００に送信されることとなる。
【００６５】
この情報選別手段４００からそれぞれ出力される検出信号ＳＰｊは、情報収集手段５００の受信器５６０にて取得されて適宜変換され、検波器５７０でデジタル信号Ｓ３に適宜変換され、各ゲート手段Ｇｊに出力される。
【００６６】
また、外部機器６００から指令信号Ｓｃを取得した情報収集手段５００のデコーダ５１０は、指令信号Ｓｃがいずれかの検出器２０１からの測定情報を取得する旨かを判断し、対応する信号ｑｊを生成する。この生成した信号ｑｊは、対応するゲート手段Ｇｊに出力される。
【００６７】
さらに、デコーダ５１０は、例えば情報処理装置１００全体の制御に関与するタイミング信号Ｓｔを取得し、パルス信号Ｓ１１を生成する。そして、この生成したパルス信号Ｓ１１を発信器５４０にて取得させ、外部機器６００で選択された検出器２０１に対応してｍ個の掃き出しパルスＳ１２を発生させる。この掃き出しパルスＳ１２を、選択された検出器２０１に対応した時間Ｔｊのタイミングでシフトレジスタ５５０に出力させる。そして、シフトレジスタ５５０は、発信器５４０から時間Ｔｊのタイミングで出力される掃き出しパルスＳ１２に基づいて、対応するセルｕｊから論理状態出力信号ｈｊを対応するゲート手段Ｇｊに出力する。
【００６８】
そして、各情報選別手段４００から出力される検出信号ＳＰｊに対応する各デジタル信号Ｓ３が入力される各ゲート手段Ｇｊのうち、デコーダ５１０から信号ｑｊが入力された外部機器６００にて選択された測定情報に対応するゲート手段Ｇｊのみが、シフトレジスタ５５０からの論理状態出力信号ｈｊに基づいて、リクエスト信号Ｒの出力から所定時間Ｔｊ経過した後に、所定時間帯ｈｊだけ開成する。このため、対応するゲート手段Ｇｊに入力された検出信号ＳＰｊのデジタル信号Ｓ３のみがゲート手段Ｇｊの開成するタイミングと同期することとなり、対応する検出信号ＳＰｊのみが通過して対応するメモリ５８０の格納領域Ｒｊに格納されることとなる。
【００６９】
上述したように、情報選別手段４００により、送受信させる検出器２０１からの測定情報毎にリクエスト信号Ｒからの異なる遅延時間Ｄｊでパルス状のデジタル信号Ｓ３に変換し、情報収集手段５００により、リクエスト信号Ｒから所定の時間Ｔｊが経過したときにこの時間Ｔｊに対応する遅延時間Ｄｊでパルス状のデジタル信号Ｓ３を情報処理手段３００へ送信可能に取得する。このため、検出器２０１から情報処理手段３００へ測定情報を送受信させるためにアドレス情報などの独立した識別情報を用いることなく各測定情報に識別性を付与でき、識別情報を格納する記憶手段、識別情報を送受信する手段、識別情報を判別する手段などが不要となり、情報を送受信するための構成を簡略化できる。さらには、情報の送受信の際に識別情報も合わせて送受信されて判別することによる処理負荷を削減でき、処理効率の向上が得られる。
【００７０】
そして、測定情報を出力する検出器２０１毎にそれぞれ対応して複数の情報選別手段４００を設け、これら複数の情報選別手段４００によりリクエスト信号Ｒからの情報毎に異なる遅延時間Ｄｊでパルス状のデジタル信号Ｓ３に変換して、各測定情報に異なる時間情報が組み込まれた情報とする。このため、各情報選別手段４００にあらかじめ測定情報毎に異なる遅延時間Ｄｊを設定しておけばよく、簡単な構成で測定情報毎に異なる時間情報が組み込まれて識別性を付与させる構成が容易に得られる。
【００７１】
また、測定情報毎に複数のゲート手段Ｇｊを設け、各ゲート手段Ｇｊの入力端に各情報選別手段４００にて遅延時間Ｄｊでパルス状の時間情報が組み込まれた各デジタル信号Ｓ３をそれぞれ入力させ、あらかじめ設定された異なる時間Ｔｊのタイミングに対応する遅延時間Ｄｊでパルス状のデジタル信号Ｓ３のみを通過させて出力端から出力させる。このため、送信させる検出器２０１からの測定情報にそれぞれ異なる遅延時間Ｄｊでパルス状のデジタル信号Ｓ３に変換して、所定の測定情報のデジタル信号Ｓ３のみを識別して情報処理手段３００に送信可能に格納することが簡単な構成で容易に得られる。
【００７２】
さらに、デコーダ５１０により、外部機器６００から取得した所定の測定情報の送信を要求する旨の指令情報である指令信号Ｓｃに基づいて、対象となる測定情報に対応するゲート手段Ｇｊにのみ開成情報である信号ｑｊを入力させ、入力端に入力されるデジタル信号Ｓ３うちの時間Ｔｊに対応する遅延時間Ｄｊでパルス状のデジタル信号のみを出力端から出力させる。このため、複数の測定情報を識別して送受信させる構成を簡単で容易に得ることができる。
【００７３】
また、デコーダ５１０により指令信号Ｓｃを取得することにより、パルス発生手段５３０からリクエスト信号Ｒを各情報選別手段４００に出力させる。このため、所定の測定情報の送信を要求する外部機器６００からの指令に基づいて、複数の測定情報の識別性を付与するための遅延時間Ｄｊを設定する時間が１つのリクエスト信号Ｒにて基準化され、要求される所定の測定情報の確実な送受信が容易にできる。
【００７４】
そして、情報選別手段４００により、測定情報を遅延時間Ｄｊでリクエスト信号Ｒから遅延したパルス状のデジタル信号Ｓ３に変換させ、情報収集手段５００でリクエスト信号Ｒから所定の時間Ｔｊに対応する遅延時間Ｄｊでパルス状のデジタル信号Ｓ３を取得させることにより、所定の測定情報が取得可能となる。このため、識別情報を用いることなく容易に特定の情報を識別して送受信させることが簡単な構成で容易にできる。
【００７５】
また、情報選別手段４００によりリクエスト信号Ｒからの遅延時間Ｄｊとともにこの遅延時間Ｄｊに所定の時間帯ｄｊでパルス状のデジタル信号Ｓ３として、情報収集手段５００により所定の時間Ｔｊが経過した後の所定の時間帯ｈｊに対応するパルス状のデジタル信号Ｓ３を取得させる。このことにより、複数の測定情報でもそれぞれを識別して確実に送受信させる構成が容易に得られる。
【００７６】
そして、情報収集手段５００にゲート手段Ｇｊを通過させた所定のデジタル信号Ｓ３を所定の格納領域Ｒｊに格納させるメモリ５８０を設ける。このため、検出器２０１から情報処理手段３００に送受信させるための測定情報を一旦記憶させておくので、送受信の処理が容易にできる。
【００７７】
そして、情報選別手段４００および情報収集手段５００の構成をプログラムとしたため、例えばコンピュータなどに読み取らせて情報の送受信に利用することが可能となり、利用の拡大を容易に図ることができる。
【００７８】
さらには、このプログラムを記録した記録媒体として流通させることにより、プログラムの取扱が容易にでき、利用の拡大を容易に図ることができる。
【００７９】
〔他の実施の形態〕
なお、本発明の情報処理装置１００は、上記一実施の形態にのみ限定されるものではなく、本発明の要旨を逸脱しない範囲内において種々変更を加え得ることは勿論である。
【００８０】
送受信させる情報としては、上述した測定情報の他、個数や工程番号、判定グレードなどの計数的な情報としたり、プログラム自体、音楽データ、画像データなど、いずれの情報をも対象とすることができる。
【００８１】
そして、情報を処理する情報処理手段３００へ情報を送受信させる構成に限らず、例えばネットワークにおける通信手段のように単に情報を送受信させるのみの構成、ネットワークを利用するシステム構成に限らず、１つのコンピュータ内における情報の送受信など、単に情報を送受信させるいずれの構成にも対応できる。
【００８２】
また、複数のケーブル２０２を介して情報を取得する構成について説明したが、１つのケーブル２０２に複数の検出器２０１を有して複数の情報を送受信させる構成にも利用することができる。
【００８３】
さらに、情報を所定時間遅延したパルス状のデジタル信号Ｓ３に変換して識別性を付与して説明したが、選別時間情報を関連付ける方法としては、例えば単一時間周期の周波数に基づいて時間を遅延、具体的には位相をずらすことにより識別性を付与させるなど、いずれの方法をも利用することができる。
【００８４】
その他、本発明の実施の際の具体的な構造および手順などは、本発明の目的を達成できる範囲で他の構成に変更するなどしてもよい。
【００８５】
【発明の効果】
本発明によれば、送受信させる情報毎に基準信号からの異なる時間長の選別時間情報をそれぞれ関連付け、基準信号から所定の時間長が経過したときにこの経過した時間に対応する時間長となる選別時間情報が関連付けられた情報を取得して送信させるため、例えばパルス波形や周波数などを利用して情報に時間的特性を持たせることにより、情報を送受信させるためにアドレス情報などの識別情報を用いることなく情報に識別性を付与することができ、構成の簡略化および処理効率の向上を図ることができる。
【図面の簡単な説明】
【図１】本発明の情報処理装置の一実施の形態の構成を示すブロック図である。
【図２】前記一実施の形態における情報送受信システムの情報選別手段の内部構成を示すブロック図である。
【図３】前記一実施の形態における情報送受信システムの情報収集手段の内部構成を示すブロック図である。
【図４】前記一実施の形態における情報を送受信する動作を示すタイミングチャートである。
【符号の説明】
１００    情報処理装置
２００    情報送受信システム
２０１    情報取得手段としての検出器
２１０    情報送受信装置としての演算手段である情報選別収集手段
３００    情報処理手段
４００    情報選別手段
５００    情報収集手段
５１０    指令情報処理手段としてのデコーダ
５３０    基準信号出力手段としてのパルス発生手段
Ｄｊ              選別時間情報についての遅延時間
ｄｊ              時間帯についての信号
Ｇｊ              ゲート手段
ｈｊ              時間帯についての論理状態出力信号
Ｒ        基準信号としてのリクエスト信号
Ｓ３              デジタル情報
Ｓｃ              指令情報である指令信号
【図１】
2004178375.tif 000003
【図２】
2004178375.tif 000004
【図３】
2004178375.tif 000005
【図４】
2004178375.tif 000006